(57)【要約】      （修正有）【課題】布帛の捺染への適性があり、吐出安定性に優れたインクジェット捺染用インクを提供する。【解決手段】少なくとも水と、分散染料と、下式で示されるアルキルポリフェニルエーテルスルホン酸塩（Ａ）と、有機概念図におけるＩ／Ｏ値が２０．３〜２５．０であるグリコールモノエーテル類（Ｂ）と、を含む、インクジェット捺染用インク。2010065175.tif 000012（式中、Ｒは炭素数８〜２４のアルキル基であり、Ｍは水素、ナトリウム、カリウム、又はリチウムであり、ｎは０〜３の整数であり、ｎ＝０の場合にはＲ＝８〜１２）【選択図】なし【特許請求の範囲】
【請求項１】
少なくとも水と、分散染料と、下式で示されるアルキルポリフェニルエーテルスルホン酸塩（Ａ）と、有機概念図におけるＩ／Ｏ値が２０．３〜２５．０であるグリコールモノエーテル類（Ｂ）と、を含む、インクジェット捺染用インク。
【化１】
2010065175.tif 000010
（式中、Ｒは炭素数８〜２４のアルキル基であり、Ｍは水素、ナトリウム、カリウム、又はリチウムであり、ｎは０〜３の整数であり、ｎ＝０の場合にはＲ＝８〜１２であり、ｎ＝１の場合にはＲ＝１２〜１８であり、ｎ＝２の場合にはＲ＝１２〜１８であり、ｎ＝３の場合にはＲ＝１８〜２４である。）
【請求項２】
前記アルキルポリフェニルエーテルスルホン酸塩（Ａ）のｎが１〜２である、請求項１記載のインクジェット捺染用インク。
【請求項３】
前記グリコールモノエーテル類（Ｂ）は、下式で示される、請求項１又は２記載のインクジェット捺染用インク。
【化２】
2010065175.tif 000011
（式中、Ｒは炭素数１〜３のアルキル基であり、ｎは１〜３の整数である。）
【請求項４】
前記アルキルポリフェニルエーテルスルホン酸塩（Ａ）を０．２〜２．４重量％含み、前記グリコールモノエーテル類（Ｂ）を３〜１２重量％含む、請求項１〜３のいずれかに記載のインクジェット捺染用インク。
【発明の詳細な説明】
【技術分野】
【０００１】
本発明は、捺染用インクジェットインクに関するものである。
【背景技術】
【０００２】
従来、布帛に図柄を印捺する方法としては、スクリーン捺染法、ローラ捺染法、ロータリースクリーン捺染法、転写捺染法等が用いられてきたが、図柄の変更毎にスクリーン枠、彫刻ローラ、転写紙等を用意する必要があり、これらスクリーン枠、彫刻ローラ、転写紙の作成はかなり高価であるため、一定量以上の生産を行わないと、コスト的に引き合わない点のみならず、ファッションの多様化に迅速に対応出来ないという欠点を有する。これらの欠点を解消するため、スキャナーで見本を読み取り、コンピュータで画像処理を行い、その読み取り画像データを基に、インクジェット方式で印捺する技術が開発され、近年、紙の分野では実用化されている。このインクジェット方式は、時間と費用をかけることなく作成が可能である点で、繊維分野においても注目され、布帛に適用する試みがなされている。これは、上記のような現在の捺染方法では、図柄毎にトレース、製版（スクリーン枠、彫刻ローラ、転写紙等の作成）などの煩雑でかつ長期間を要し、その結果、多大な労力、コストが必要となり、生産規模をかなり大きくしないと、経済的に迫いつかないという課題を抱えているからである。また、近年のファッションの多様化による少量多品種生産への対応には不向きな方式であることなどが指摘されており、これらの課題を踏まえ、上記のような現行方式を、インクジェット記録方式により置き換える動きとなっている。
【０００３】
印捺に用いられるインクジェットインクとしては、例えば酸性染料、反応性染料といった水溶性染料や、油溶性染料や顔料を水中に分散させたものを色材として利用するものが提案され、絹、ナイロン、綿、ポリエステル繊維などの染色に用いられている。
【０００４】
インクジェットインク中に使用される色材は、安定的であり、良好な印刷特性を有し、そして良好な色、鮮鋭度、及び堅牢性を有する画像を形成するインクを提供するために正しい特性を有しなければならない。多くの色材は、これらの望ましい特性のいくらか又はほとんどを有してはいるが、しかし、上記特性の全てを有する色材を見いだすのは極めて難しい。このため、インク・ビヒクルに様々な工夫、例えば特定のポリオキシエチレンアルキルエーテルなどの界面活性剤を利用して、これら望ましい特性を強化したり、不足している特性を補ったりしている（特許文献１、２）。
【０００５】
インクジェット方式において、通常、インクジェット記録ヘッドに備えた微細ノズル部からインクを出射するために、吐出界面の制御が必要であり、その制御を可能とするために、インク中に界面活性成分や有機溶剤を添加して濡れ性を調整する必要がある。
しかし、濡れ性の調整は、吐出界面の制御に影響を与えるだけでなく、布帛に着弾した後の滲みや裏移りなどの印捺品質にも影響与えるので、濡れ性を調整する材料の種類や量に様々な提案がなされている。（特許文献３、４、５）
更に、油溶性染料や顔料を水中に分散させたものを色材として利用する場合には、濡れ性を調整するために添加する材料が、分散安定性に影響を与えることもあり、より一層配慮して材料の検討が行われている。（特許文献６）
【０００６】
【特許文献１】特開  平８−２０９０４８公報
【特許文献２】特開  平８−３０２２６６公報
【特許文献３】特開２００７−１１９５５１号公報
【特許文献４】特開２００３−２５３１６７号公報
【特許文献５】特開２００６−１１１８５２号公報
【特許文献６】特開２００８−６９３５５号公報
【発明の開示】
【発明が解決しようとする課題】
【０００７】
本発明は、布帛の捺染への適性があり、また吐出安定性に優れた、インクジェット捺染用インクを提供することを課題とする。
【課題を解決するための手段】
【０００８】
本発明は、（１）少なくとも水と、分散染料と、下式で示されるアルキルポリフェニルエーテルスルホン酸塩（Ａ）と、有機概念図におけるＩ／Ｏ値が２０．３〜２５．０であるグリコールモノエーテル類（Ｂ）と、を含む、インクジェット捺染用インク；
【化１】
2010065175.tif 000002
（式中、Ｒは炭素数８〜２４のアルキル基であり、Ｍは水素、ナトリウム、カリウム、又はリチウムであり、ｎは０〜３の整数であり、ｎ＝０の場合にはＲ＝８〜１２であり、ｎ＝１の場合にはＲ＝１２〜１８であり、ｎ＝２の場合にはＲ＝１２〜１８であり、ｎ＝３の場合にはＲ＝１８〜２４である。）
（２）前記アルキルポリフェニルエーテルスルホン酸塩（Ａ）のｎが１〜２である、前記（１）記載のインクジェット捺染用インク；
（３）前記グリコールモノエーテル類（Ｂ）は、下式で示される、前記（１）又は（２）記載のインクジェット捺染用インク； 
【化２】
2010065175.tif 000003
（式中、Ｒは炭素数１〜３のアルキル基であり、ｎは１〜３の整数である。）
（４）前記アルキルポリフェニルエーテルスルホン酸塩（Ａ）を０．２〜２．４重量％含み、前記グリコールモノエーテル類（Ｂ）を３〜１２重量％含む、前記（１）〜（３）のいずれかに記載のインクジェット捺染用インク；を提供する。
【発明の効果】
【０００９】
本発明によれば、吐出安定性に優れ、布帛の捺染に適性したインクジェット捺染用インクを提供することができる。
【発明を実施するための最良の形態】
【００１０】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１１】
本発明のインクジェット捺染用インクは、少なくとも水と、分散染料と、下式で示されるアルキルポリフェニルエーテルスルホン酸塩（Ａ）と、有機概念図におけるＩ／Ｏ値が２０．３〜２５．０であるグリコールモノエーテル類（Ｂ）と、を含む。
【化１】
2010065175.tif 000004
（式中、Ｒは炭素数８〜２４のアルキル基であり、Ｍは水素、ナトリウム、カリウム、又はリチウムであり、ｎは０〜３の整数であり、ｎ＝０の場合にはＲ＝８〜１２であり、ｎ＝１の場合にはＲ＝１２〜１８であり、ｎ＝２の場合にはＲ＝１２〜１８であり、ｎ＝３の場合にはＲ＝１８〜２４である。）
【００１２】
上記インクジェット捺染用インクを用いて捺染することにより、吐出安定性に優れた記録を行うことができる。
【００１３】
本発明において「有機概念図におけるＩ／Ｏ値が２０．３〜２５．０」とは、有機概念図における無機性値（Ｉ）と有機性値（Ｏ）との比が２０．３以上２５．０以下であることを意味する。
具体的には、Ｉ／Ｏ値は、藤田穆・赤塚政美「系統的有機定性分析(混合物編)」風間書房（1974）、黒木宣彦「染色理論化学」槙書店（1966）、井上博夫・上原赫・南後守「有機化合物分離法」裳華房（1990）、の各文献に基づいて算出した値である。
【００１４】
前記アルキルポリフェニルエーテルスルホン酸塩（Ａ）のｎは、１〜２であることが好ましい。
【００１５】
前記グリコールモノエーテル類（Ｂ）は、下式で示されるものであることが好ましい。
【化２】
2010065175.tif 000005
（式中、Ｒは炭素数１〜３のアルキル基であり、ｎは１〜３の整数である。）
【００１６】
前記インクジェット捺染用インクは、前記アルキルポリフェニルエーテルスルホン酸塩（Ａ）を０．２〜２．４重量％含み、前記グリコールモノエーテル類（Ｂ）を３〜１２重量％含むことが好ましい。
【００１７】
前記分散染料の例としては、オラセットイエロー８ＧＦ（商品名、チバガイギー社製、Ｃ．Ｉ．ディスパースイエロー８２）、アイゼンゾットイエロー５（商品名、保土谷化学工業株式会社製、Ｃ．Ｉ．ディスパースイエロー３）、スミプラスイエローＨＬＲ（商品名、住友化学工業株式会社製、Ｃ．Ｉ．ディスパースイエロー５４）、カヤセットイエローＡ−Ｇ（商品名、日本化薬株式会社製、Ｃ．Ｉ．ディスパースイエロー５４）、ダイアレジンイエローＨ２Ｇ（商品名、三菱化成株式会社製、Ｃ．Ｉ．ディスパースイエロー１６０）、オイルイエロー５４（商品名、中央合成化学株式会社製、Ｃ．Ｉ．ディスパースイエロー５４）、ダイアレジンレッドＨ（商品名、三菱化成株式会社製、Ｃ．Ｉ．ディスパースレッド５）、スミプラスレッドＢ−２（商品名、住友化学工業株式会社製、Ｃ．Ｉ．ディスパースレッド１９１）、カヤセットレッドＢ（商品名、日本化薬株式会社製、Ｃ．Ｉ．ディスパースレッド６０）、フィレスターバイオレットＢＡ（商品名、チバガイギー社製、Ｃ．Ｉ．ディスパースバイオレット５７）、プラストレッド８３３５（商品名、有本化学工業株式会社製、Ｃ．Ｉ．ディスパースバイオレット１７）、プラストレッド８３７５（商品名、有本化学工業株式会社製、Ｃ．Ｉ．ディスパースレッド６０）、プラストブルー８５１６（商品名、有本化学工業株式会社製、Ｃ．Ｉ．ディスパースブルー１４）等が挙げられる。
【００１８】
上記インクジェット捺染用インクは、上記の各分散染料を分散剤により分散させることが好ましい。好適な分散剤としては、花王株式会社製デモールＳＳ−Ｌ（芳香族スルホン酸ホルマリン縮合物のナトリウム塩）、花王株式会社製デモールＲＳ−Ｌ（β‐ナフタレンスルホン酸ホルマリン縮合物ナトリウム塩）、日本製紙ケミカル株式会社製サンエキスＰ２５２（リグニンスルホン酸ナトリウム）、ＢＡＳＦ社製Ｌｕｖｉｔｅｃ  Ｋ３０（ポリビニルピロリドン）、ＢＡＳＦポゾリス社製レオビルド２４４０（メラミンスルホン酸塩）等が挙げられる。
【００１９】
上記インクジェット捺染用インクは、水に加えて水溶性有機溶剤を含むことが適当な粘度と保湿性を確保するために好ましい。好適な水溶性有機溶剤としては、グリセリン、エチレングリコール、ジエチレングリコール、トリエチレングリコール、２−ピロリドン、２−イミダゾリジノン、１，３−ジメチル−２−イミダゾリジノン等が挙げられる。
【実施例】
【００２０】
表１〜４に示す組成によりインクジェット捺染用インクを調製した。表中の数値は重量％を表す。表１〜４中における[1]〜[3]は以下のとおりである。
[1] ナフタレンスルホン酸とホルマリンの縮合物ナトリウム塩の40％水溶液
[2] ナフタレンスルホン酸とシェファー酸とクレゾール縮合物ナトリウム塩の40％水溶液
[3] ビックケミー社製シロキサン系界面活性剤
【００２１】
また、表１〜４中において用いた界面活性剤は以下のとおりである。
界面活性剤００６：ｎ＝０、Ｒ＝６
界面活性剤００８：ｎ＝０、Ｒ＝８
界面活性剤０１２：ｎ＝０、Ｒ＝１２
界面活性剤０１８：ｎ＝０、Ｒ＝１８
界面活性剤１０８：ｎ＝１、Ｒ＝８
界面活性剤１１２：ｎ＝１、Ｒ＝１２
界面活性剤１１８：ｎ＝１、Ｒ＝１８
界面活性剤１２４：ｎ＝１、Ｒ＝２４
界面活性剤２０８：ｎ＝２、Ｒ＝８
界面活性剤２１２：ｎ＝２、Ｒ＝１２
界面活性剤２１８：ｎ＝２、Ｒ＝１８
界面活性剤２２４：ｎ＝２、Ｒ＝２４
界面活性剤３１２：ｎ＝３、Ｒ＝１２
界面活性剤３１８：ｎ＝３、Ｒ＝１８
界面活性剤３２４：ｎ＝３、Ｒ＝２４
界面活性剤３３０：ｎ＝３、Ｒ＝３０
界面活性剤４２４：ｎ＝４、Ｒ＝２４
界面活性剤４３０：ｎ＝４、Ｒ＝３０
【００２２】
（連続吐出安定性）
ＰＭ−Ａ７５０を用いて約３０００枚の印刷を実施した場合に、吐出曲がりや抜けの発生した枚数を記録し、以下の判定を行った。尚、曲がり・抜けの発生した場合にはクリーニングを実施して全ノズルを復帰させて評価を継続した。
０〜３枚：      ５点
４〜９枚：      ４点
１０〜３９枚：  ３点
４０〜６９枚：  ２点
７０枚以上：    １点
【００２３】
（一時吐出停止後の復帰性）
上記の連続吐出安定性評価の中で、約５００枚毎に約１時間、約１０００枚毎に約１２時間の印刷停止を行って、その後の吐出曲がりや抜けを、以下のとおり判定した。尚、曲がり・抜けの発生した場合にはクリーニングを実施して全ノズルを復帰させて評価を継続した。
曲がり・抜けなし：  ５点
曲がり・抜け１度：  ４点
曲がり・抜け２度：  ３点
曲がり・抜け３度：  ２点
曲がり・抜け６度：  １点
【００２４】
評価結果を表１〜４に示す。表１は、本願構成要素を満たさない比較例１〜８を示し、表２は、界面活性剤と比較例のグリコールエーテルとを含む比較例９〜２０を示し、表３は、界面活性剤と実施例のグリコールエーテルを含む実施例１〜１４を示し、表４は、界面活性剤及びグリコールエーテルの添加量を変えた場合の実施例１５〜２４を示す。
【００２５】
【表１】
2010065175.tif 000006
【００２６】
【表２】
2010065175.tif 000007
【００２７】
【表３】
2010065175.tif 000008
【００２８】
【表４】
2010065175.tif 000009
【００２９】
表１〜４に示すように、実施例のインクを用いた場合では、比較例に比べて、連続吐出安定性及び一時吐出停止後の復帰性に優れていることが判った。特に、界面活性剤のｎが１〜２である場合において、連続吐出安定性及び一時吐出停止後の復帰性に極めて優れていた。